(57)【特許請求の範囲】
【請求項１】
車両に搭載された表示部材に形成される投影面に表示画像を投影することにより、前記車両の室内から前記表示画像の虚像を視認可能なヘッドアップディスプレイ装置であって、
前記表示画像となる可干渉光を投射する光源手段と、
前記光源手段からの可干渉光が通過する光路上に設けられ、前記光源手段からの可干渉光を受けることにより、偏光方向が互いに異なる２つの光のみを投射する偏光手段と、
前記偏光手段から入射する光を前記投影面に向けて拡散し、偏光方向の異なる２つの光を拡散光として前記投影面に入射させることにより、前記表示画像が結像するスクリーン手段と、
前記偏光手段が投射する光の走査によって、前記スクリーン手段に前記表示画像を描画するスキャナと、を備え、
前記光源手段は、偏光方向の異なる２つの光のうちの一方となる可干渉光を投射する第１光源と、偏光方向の異なる２つの光のうちの他方となる可干渉光を投射する第２光源とを有し、
前記偏光手段は、一方の面に入射する光を反射するとともに他方の面に透過し、前記他方の面に入射する光を反射するとともに前記一方の面に透過するフィルター部を有する偏光ビームスプリッタであって、前記投影面に入射する際の前記拡散光における２つの偏光方向を、前記投影面での前記拡散光に対応する入射面に対して平行となるＰ偏光の偏光方向及び前記入射面に対して垂直となるＳ偏光の偏光方向のそれぞれに対して対称となるように、前記光路上に設置され、
前記フィルター部は、前記第１光源からの可干渉光を前記一方の面に入射させ、前記第２光源からの可干渉光を他方の面に入射させ、前記一方の面で反射した前記第１光源からの可干渉光の一部と前記他方の面に入射し前記一方の面に透過した前記第２光源からの可干渉光の一部とを組み合わせて、偏光方向が互いに異なる２つの光として投射することを特徴とするヘッドアップディスプレイ装置。
【請求項２】
前記フィルター部において前記一方の面及び前記他方の面のそれぞれは、入射する光のＳ偏光及びＰ偏光の一方を反射するとともに、Ｓ偏光及びＰ偏光の他方を透過することを特徴とする請求項１に記載のヘッドアップディスプレイ装置。
【請求項３】
車両に搭載された表示部材に形成される投影面に表示画像を投影することにより、前記車両の室内から前記表示画像の虚像を視認可能なヘッドアップディスプレイ装置であって、
前記表示画像となる可干渉光を投射する光源手段と、
前記光源手段からの可干渉光が通過する光路上に設けられ、前記光源手段からの可干渉光を受けることにより、偏光方向が互いに異なる２つの光のみを投射する偏光手段と、
前記偏光手段から入射する光を前記投影面に向けて拡散し、偏光方向の異なる２つの光を拡散光として前記投影面に入射させることにより、前記表示画像が結像するスクリーン手段と、
前記偏光手段が投射する光の走査によって、前記スクリーン手段に前記表示画像を描画するスキャナと、を備え、
前記光源手段は、所定の偏光方向の可干渉光を投射する一つの光源であって、
前記偏光手段は、通電及び非通電を切り替えることにより液晶分子の配向方向を変化させることにより、透過する光の偏光方向を変化させる液晶セルであって、前記投影面に入射する際の前記拡散光における２つの偏光方向を、前記投影面での前記拡散光に対応する入射面に対して平行となるＰ偏光の偏光方向及び前記入射面に対して垂直となるＳ偏光の偏光方向のそれぞれに対して対称となるように、前記光路上に設置され、
前記液晶セルへの通電及び非通電を所定時間毎に繰り返す制御部を更に備えることを特徴とするヘッドアップディスプレイ装置。
【請求項４】
前記偏光手段によって投射される２つの光は、それぞれの偏光方向が直交していることを特徴とする請求項１〜３のいずれか一項に記載のヘッドアップディスプレイ装置。
【発明の詳細な説明】
【技術分野】
【０００１】
本発明は、ウインドシールド等の表示部材に表示画像を投影することにより、当該表示画像の虚像を視認可能とするヘッドアップディスプレイ装置に関する。
【背景技術】
【０００２】
従来から、可干渉光、例えば、レーザ光を用いたディスプレイ装置において、当該レーザ光をスクリーン部材に入射させると、スクリーン部材で拡散した拡散光同士が干渉することによりスペックルノイズが発生することがあるという問題に対して、偏光方向が直交する２つのレーザ光を重畳して、スクリーン部材に入射させるという技術が知られている（特許文献１を参照）。
【０００３】
この技術は、偏光方向が異なる光同士は互いに干渉しないという現象を利用したものであり、偏光方向が異なる光を重畳させてスクリーン部材に入射させることにより、スペックルノイズを低減させている。ただし、視認者によるスペックルノイズの低減の認識は、偏光方向を２つ有する光において、各偏光方向の光に対応するスクリーン部材での拡散光の両方が、共に視認者の眼に届いたときに認識されるものである。
【先行技術文献】
【特許文献】
【０００４】
【特許文献１】特開２０１０−２６４８３号公報
【発明の概要】
【発明が解決しようとする課題】
【０００５】
上述したように、スペックルノイズが低減したと視認者が認識できるのは、偏光方向を２つ有する光において各偏光方向の光に対応するスクリーン部材での拡散光の両方が共に視認者の眼に届くからである。また、それぞれの偏光方向の光に対応する拡散光の強度差が大きいと、スペックルノイズの低減効果が低下することもある。
【０００６】
ここで、特許文献１に記載の技術を、スクリーン部材で結像した表示画像をウインドシールド等の表示部材に投影することにより、当該表示画像の虚像を視認可能とするヘッドアップディプレイ装置に適用すると、スクリーン部材において発生するスペックルノイズの低減効果が低下する場合がある。
【０００７】
スペックルノイズの低減効果の低下は、偏光方向を２つ有する光において各偏光方向の光に対応するスクリーン部材での拡散光の偏光方向のいずれか一方が、ウインドシールドの入射面におけるＰ偏光の偏光方向と一致している場合に発生し易い。これは、Ｐ偏光の反射率は、Ｓ偏光の反射率に比べ低いため、Ｐ偏光の偏光方向と一致した方の拡散光が視認者の眼に届き難くなるからと考えられる。この結果、たとえ、スペックルノイズ低減のために、偏光方向を２つ有する光をスクリーン部材に入射させたとしても、視認者の眼に届く一方の拡散光の強度が他方の拡散光に比べ小さくなり、スペックルノイズの低減効果が低下するおそれがある。特に、拡散光のウインドシールドへの入射角がブリュースター角付近となっている場合では、Ｐ偏光の偏光方向と一致した方の光の強度が非常に小さくなり、スペックルノイズの低減効果が極端に低下するおそれがある。
【０００８】
本発明は、上述の問題点に鑑みてなされたものであって、その目的は、表示部材の投影面に表示画像を投影することにより、当該表示画像の虚像を視認可能とするヘッドアップディスプレイ装置において、スペックルノイズの低減効果の低下を抑制することができるヘッドアップディスプレイ装置を提供することにある。
【課題を解決するための手段】
【０００９】
上記目的を達成するために、請求項１の発明は、車両に搭載された表示部材に形成される投影面に表示画像を投影することにより、車両の室内から表示画像の虚像を視認可能なヘッドアップディスプレイ装置であって、表示画像となる可干渉光を投射する光源手段と、光源手段からの可干渉光が通過する光路上に設けられ、光源手段からの可干渉光を受けることにより、偏光方向が互いに異なる２つの光のみを投射する偏光手段と、偏光手段からの入射する光を投影面に向けて拡散し、偏光方向の異なる２つの光を拡散光として投影面に入射させることにより、表示画像が結像するスクリーン手段と、偏光手段が投射する光の走査によって、スクリーン手段に表示画像を描画するスキャナと、を備え、光源手段は、偏光方向の異なる２つの光のうちの一方となる可干渉光を投射する第１光源と、偏光方向の異なる２つの光のうちの他方となる可干渉光を投射する第２光源とを有し、偏光手段は、一方の面に入射する光を反射するとともに他方の面に透過し、他方の面に入射する光を反射するとともに一方の面に透過するフィルター部を有する偏光ビームスプリッタであって、投影面に入射する際の拡散光における２つの偏光方向を、投影面での拡散光に対応する入射面に対して平行となるＰ偏光の偏光方向及び入射面に対して垂直となるＳ偏光の偏光方向のそれぞれに対して対称となるように光路上に設置され、フィルター部は、第１光源からの可干渉光を一方の面に入射させ、第２光源からの可干渉光を他方の面に入射させ、一方の面で反射した第１光源からの可干渉光の一部と他方の面に入射し一方の面に透過した第２光源からの可干渉光の一部とを組み合わせて、偏光方向が互いに異なる２つの光として投射することを特徴としている。
また請求項３の発明は、車両に搭載された表示部材に形成される投影面に表示画像を投影することにより、車両の室内から表示画像の虚像を視認可能なヘッドアップディスプレイ装置であって、表示画像となる可干渉光を投射する光源手段と、光源手段からの可干渉光が通過する光路上に設けられ、光源手段からの可干渉光を受けることにより、偏光方向が互いに異なる２つの光のみを投射する偏光手段と、偏光手段から入射する光を投影面に向けて拡散し、偏光方向の異なる２つの光を拡散光として投影面に入射させることにより、表示画像が結像するスクリーン手段と、偏光手段が投射する光の走査によって、スクリーン手段に表示画像を描画するスキャナと、を備え、光源手段は、所定の偏光方向の可干渉光を投射する一つの光源であって、偏光手段は、通電及び非通電を切り替えることにより液晶分子の配向方向を変化させることにより、透過する光の偏光方向を変化させる液晶セルであり、投影面に入射する際の拡散光における２つの偏光方向を、投影面での拡散光に対応する入射面に対して平行となるＰ偏光の偏光方向及び入射面に対して垂直となるＳ偏光の偏光方向のそれぞれに対して対称となるように、光路上に設置され、液晶セルへの通電及び非通電を所定時間毎に繰り返す制御部を更に備えることを特徴としている。
【００１０】
これらの発明によれば、偏光手段は、偏光方向が互いに異なる２つの光のみを投射する。そして、この偏光方向の異なる２つの光は、スクリーン手段によって拡散する。一般的には、スクリーン手段によって拡散した拡散光同士が干渉し、スペックルノイズが発生するが、これらの発明では、スクリーン手段に偏光方向の異なる２つの光が入射されるので、拡散光同士の干渉が抑えられ、その結果、スペックルノイズが低減される。
【００１１】
しかし、これらの発明では、スクリーン手段によって拡散された拡散光は、投影面に投影されるようになっているため、直接、視認者の眼に届かない。このため、偏光方向の異なる２つの光において各偏光方向に対応するスクリーン手段での拡散光のいずれかが、投影面によって、視認者の眼に届き難くなるおそれがある。例えば、２つの拡散光の偏光方向が投影面での入射面に対して平行となるＰ偏光の偏光方向と一致していると、当該拡散光のうち、Ｐ偏光の偏光方向と一致した方の拡散光が視認者の眼に届き難くなる。そうすると、偏光方向の異なる２つの光をスクリーン手段に入射させたとしても、視認者の眼に届く一方の拡散光の強度が他方の拡散光に比べ小さくなり、スペックルノイズの低減効果が低下するおそれがある。また、拡散光の投影面に対する入射角がブリュースター角付近となっている場合では、Ｐ偏光の偏光方向と一致した方の拡散光の強度は非常に小さくなり、スペックルノイズの低減効果が極端に低下するおそれがある。
【００１２】
そこで、これらの発明では、偏光手段を、偏光方向の異なる２つの光において各偏光方向の光に対応するスクリーン手段で拡散した拡散光の投影面に入射する際の偏光方向が、投影面でのＰ偏光の偏光方向と異なるように、光源手段からの可干渉光が通過する光路上に設置している。このように偏光手段を設置することによれば、それぞれの拡散光の偏光方向は、投影面でのＰ偏光の偏光方向と異なるので、投影面での拡散光の強度低下を抑えることができ、拡散光の強度差の増大を抑制することができる。その結果、スペックルノイズの低減効果の低下を抑制することができる。
【００１３】
なお、これらの発明において入射面とは、投影面における拡散光の入射点と、当該拡散光の光軸と、当該入射点における投影面の法線とを含む平面のことである。
【００１４】
表示部材の投影面で反射した拡散光の強度は、投影面に入射する光（入射光）の偏光方向によって変化することが知られている。例えば、拡散光の強度は、入射光の偏光方向がＳ偏光の偏光方向で最大となる。即ち、一方の拡散光の偏光方向がＳ偏光の偏光方向と一致してしまうと、他の拡散光の偏光方向はＳ偏光の偏光方向とは異なり、投影面での拡散光の強度は必ず異なってしまい、拡散光の強度に差が発生することとなる。
【００１５】
そこで、偏光手段は、偏光方向の異なる２つの光において各偏光方向の光に対応するスクリーン手段で拡散した拡散光の投影面に入射する際の偏光方向が、投影面での拡散光に対応する入射面に対して垂直となるＳ偏光の偏光方向と異なるように、光路上に設置されているという構成を採用している。
【００１６】
これらの発明によれば、２つの拡散光のいずれもが、Ｓ偏光の偏光方向と異なる偏光方向となるので、投影面で反射した拡散光の強度が必ず異なってしまうということを抑制することができる。その結果、投影面で反射した拡散光の強度差によるスペックルノイズの低減効果の低下を抑制することができる。
【００１７】
表示部材の投影面で反射した拡散光の強度は、投影面に入射する光（入射光）の偏光方向によって変化することが知られている。
【００１８】
そこで、これらの発明の偏光手段は、投影面に入射する際の拡散光における２つの偏光方向が、Ｐ偏光の偏光方向に対して対称となるように、光路上に設置されているという構成を採用している。
【００１９】
これらの発明によれば、それぞれの拡散光のＰ偏光成分及びＳ偏光成分の大きさがほぼ同じとなる。よって、投影面で反射した拡散光の強度はほぼ等しくなるので、スペックルノイズの低減効果の低下が抑制される。
【００２０】
加えて請求項１の発明では、第１光源からの可干渉光は、フィルター部の一方の面に入射する。そして、第２光源からの可干渉光は、フィルター部の他方の面に入射する。フィルター部の一方の面に入射した第１光源の可干渉光の一部は反射し、他方の面に入射した第２光源の可干渉光の一部は一方の面に透過する。そして、一方の面で反射した第１光源の可干渉光の一部と、他方の面を透過した第２光源の可干渉光の一部とが組み合わされる。その後、その組み合わされた光は、偏光方向の異なる２つの光として投射される。偏光手段は、このようなフィルター部を備えることにより、偏光方向が異なる２つの光のみを投射することができる。
【００２１】
さらに請求項３の発明では、所定の偏光方向を有する可干渉光は、液晶セルに入射する。液晶セルは、通電及び非通電が切り替わることにより液晶分子の配向方向が変化するので、透過する可干渉光の偏光方向が異なることとなる。したがって、液晶セルからは偏光方向が異なる光が投射される。制御部は、通電及び非通電を所定時間毎に繰り返す。これによれば、液晶セルからは所定時間毎に偏光方向が変化する光が投射される。即ち、このような偏光手段によれば、一つの光源を使用して、偏光方向の異なる２つの光のみを投射することができる。
【００２２】
なお、ここでいう所定時間は下記の考え方に基づいている。人間は、ある時間よりも短い時間で変化する視覚的刺激を認めることができない。請求項６の所定時間は、人間が視覚的刺激を認めることができる時間よりも短い時間となっている。
【００２４】
請求項２の発明では、フィルター部において一方の面及び他方の面のそれぞれは、入射する光のＳ偏光及びＰ偏光の一方を反射するとともに、Ｓ偏光及びＰ偏光の他方を透過することを特徴としている。
【００２５】
この発明によれば、一方の面に入射された第１光源の可干渉光の反射光は、Ｓ偏光又はＰ偏光の一方の成分を有した光となる。そして、他方の面に入射された第２光源の可干渉光の透過光は、Ｓ偏光又はＰ偏光の他方の成分を有した光となる。故に、偏光手段より投射される光は、Ｓ偏光及びＰ偏光の偏光方向を有した光となる。したがって、第１光源及び第２光源の可干渉光の偏光方向を予め設定しておかなくとも、偏光手段からは偏光方向の異なる２つの光のみが投射される。しかも、偏光方向は直交することとなる。よって、スペックルノイズの低減効果を最も高くすることができる。
【００２６】
スクリーン部材に入射させる２つの光の偏光方向を直交させると、スペックルノイズの低減効果を最も高くすることができることが知られている。そこで、請求項４の発明では、偏光手段によって投射される２つの光は、それぞれの偏光方向が直交している。このことによれば、スペックルノイズの低減効果を最大のものとすることができる。
【図面の簡単な説明】
【００２９】
【図１】本発明の第１実施形態によるヘッドアップディスプレイ装置の車両における配置を説明するための図である。
【図２】レーザスキャナの構成及び作動を詳しく説明するための図である。
【図３】レーザ投射部の概略構成を示す構成図である。
【図４】ウインドシールドの投影面での拡散光の入射と、反射の様子を説明するための図である。
【図５】投影面に入射する拡散光の偏光方向と、投影面で反射した拡散光の偏光方向の様子を説明するための図である。
【図６】投影面でのＳ偏光及びＰ偏光の入射角と反射率との関係を示した図である。
【図７】本発明の第２実施形態によるヘッドアップディスプレイ装置のレーザ投射部の概略構成を示す構成図である。
【発明を実施するための形態】
【００３０】
以下、本発明の複数の実施形態を図面に基づいて説明する。なお、各実施形態において対応する構成要素には同一の符号を付すことにより、重複する説明を省略する。
【００３１】
（第１実施形態）
図１は、本発明の第１実施形態によるヘッドアップディスプレイ装置の車両における配置を説明するための図である。図２は、レーザスキャナの構成及び作動を詳しく説明するための図である。
【００３２】
（基本構成）
本発明の第１実施形態によるヘッドアップディスプレイ装置１００は、例えば車両のインストルメントパネル内に収容されている。ヘッドアップディスプレイ装置１００は、車両のウインドシールド９０等の表示部材に表示画像７１を投影することにより、予め想定されたアイボックス６０から表示画像７１の虚像７０を視認可能とする。ウインドシールド９０の車室側の面に形成され、ヘッドアップディスプレイ装置１００によって表示画像７１の投影される投影面９１は、凹面状に湾曲している。投影面９１に投影された表示画像７１の光束は、当該投影面９１によってアイボックス６０に向けて反射して、視認者のアイポイント６１に到達する。この表示画像７１の光束を知覚する視認者は、ウインドシールド９０の前方に結像された当該表示画像７１の虚像７０を視認できる。なお、表示画像７１には、例えば、ヘッドアップディスプレイ装置１００が搭載されている車両の走行速度、ナビゲーションシステムによる進行方向の指示、及び車両のウォーニング等を示す画像などが挙げられる。
【００３３】
視認者による虚像７０の視認は、アイポイント６１がアイボックス６０に位置しているときに限られる。アイポイント６１がアイボックス６０から外れている場合、視認者による虚像７０の視認は、困難となる。
【００３４】
アイボックス６０は、視認者が運転席に着座して運転姿勢をとったときのアイポイント６１の存在する可能性が非常に高い領域であり、鉛直方向よりも水平方向に長い矩形形状をなしている。アイボックス６０が横長に設定されているのは、着座した視認者の頭部の移動が、車両の水平方向に移動し易いためである。
【００３５】
まず、ヘッドアップディスプレイ装置１００の構成を、図１及び図２に基づいて説明する。ヘッドアップディスプレイ装置１００は、レーザスキャナ１０、スクリーン３０、及び凹面鏡４０を備えている。なお、以下の説明では、視認者に視認される虚像７０の水平方向をｘ軸方向、鉛直方向をｙ軸方向とする。そして、各構成において投射、結像、及び投影される表示画像７１のｘ軸方向を水平方向とし、ｙ軸方向を各構成における鉛直方向とする。
【００３６】
レーザスキャナ１０は、光源部１３、光学部２０、微小電気機械システム（Micro Electro Mechanical Systems；ＭＥＭＳ）２６、及びコントローラ１１を有している。
【００３７】
光源部１３は、三つのレーザ投射部１４、１５、１６等によって構成されている。各レーザ投射部１４、１５、１６は、互いに異なる周波数、即ち異なる色相のレーザ光（可干渉光）を投射する。具体的には、レーザ投射部１４は、赤色のレーザ光を投射する。レーザ投射部１５は、青色のレーザ光を投射する。レーザ投射部１６は、緑色のレーザ光を投射する。以上のように、異なる色相のレーザ光を加色混合することにより、種々の色が再現可能とされている。各レーザ投射部１４、１５、１６は、コントローラ１１と接続されている。各レーザ投射部１４、１５、１６は、コントローラ１１からの制御信号に基づいて、各色相のレーザ光を投射する。
【００３８】
光学部２０は、三つのコリメートレンズ２１、ダイクロイックフィルタ２２、２３、２４、及び集光レンズ２５等によって構成されている。各コリメートレンズ２１は、各レーザ投射部１４、１５、１６のレーザ光の投射方向に、それぞれ配置されている。コリメートレンズ２１は、レーザ光を屈折させることにより、平行光を生成する。
【００３９】
各ダイクロイックフィルタ２２、２３、２４は、各コリメートレンズ２１を挟んで各レーザ投射部１４、１５、１６の投射方向に、それぞれ配置されている。ダイクロイックフィルタ２２、２３、２４は、特定の周波数の光を反射し、それ以外の周波数の光を透過する。具体的には、レーザ投射部１４の投射方向に配置されるダイクロイックフィルタ２２は、赤色を示す周波数の光を反射し、それ以外の周波数の光を透過する。レーザ投射部１５の投射方向に配置されるダイクロイックフィルタ２３は、青色を示す周波数の光を反射し、それ以外の周波数の光を透過する。レーザ投射部１６の投射方向に配置されるダイクロイックフィルタ２４は、緑色を示す周波数の光を反射し、それ以外の周波数の光を透過する。各ダイクロイックフィルタ２２、２３、２４は、集光レンズ２５に向けてレーザ光を反射する。
【００４０】
集光レンズ２５は、平面状の入射面及び凸面状の出射面を有する平凸レンズである。集光レンズ２５は、入射面に入射するレーザ光を屈折させることにより、収束させる。これにより集光レンズ２５を通過したレーザ光は、スクリーン３０の後述する結像面３１に集まる。
【００４１】
ＭＥＭＳ２６は、水平スキャナ２７及び鉛直スキャナ２８等によって構成され、コントローラ１１に接続されている。水平スキャナ２７の光学部２０と対向する表面には、光の反射を実現するために、アルミニウム等を蒸着させた金属薄膜が形成されている。水平スキャナ２７は、鉛直方向に延伸する回転軸２７ａに支持され、回転軸２７ａまわりに回転変位可能となっている。なお、回転軸２７ａは、レーザスキャナ１０の筐体等によって固定されている。また、ＭＥＭＳ２６には回転軸２７ａを回転させる駆動部が設けられている。駆動部はコントローラ１１によって出力される駆動信号に基づいて作動し、水平スキャナ２７を回転軸２７ａまわりに回転変位させる。
【００４２】
一方、鉛直スキャナ２８の水平スキャナ２７と対向する表面には、光の反射を実現するために、アルミニウム等を蒸着させた金属薄膜が形成されている。鉛直スキャナ２８は、水平方向に延伸する回転軸２８ａに支持され、回転軸２８ａまわりに回転変位可能となっている。なお、回転軸２８ａは、レーザスキャナ１０の筐体等によって固定されている。また、ＭＥＭＳ２６には回転軸２８ａを回転させる駆動部が設けられている。駆動部はコントローラ１１によって出力される駆動信号に基づいて作動し、鉛直スキャナ２８を回転軸２８ａまわりに回転変位させる。
【００４３】
以上の構成によるＭＥＭＳ２６は、コントローラ１１からの駆動信号に基づいて、水平スキャナ２７及び鉛直スキャナ２８をそれぞれ作動させる。これにより、水平スキャナ２７は、回転軸２７ａまわりに回転し、鉛直スキャナ２８は、回転軸２８ａまわりに回転する。
【００４４】
コントローラ１１は、プロセッサ等によって構成される制御装置であって、各レーザ投射部１４、１５、１６に制御信号を出力することにより、レーザ光を断続的にパルス点灯させる。加えて、コントローラ１１は、ＭＥＭＳ２６に駆動信号を出力することにより、水平スキャナ２７及び鉛直スキャナ２８によって反射されるレーザ光の方向を、図２に示される走査線ＳＬのように制御する。
【００４５】
レーザスキャナ１０は、上述したコントローラ１１の制御により、スクリーン３０の後述する結像面３１にて表示画像７１として結像される光を投射する。具体的には、投射されるレーザ光による点状の発光の走査により、当該点状の発光を一つの画素として組み立てられる表示画像７１が、スクリーン３０の結像面３１に描画される。このようなレーザスキャナ１０の走査によって描画される表示画像７１は、例えば、毎秒６０フレームの画像であって、水平（ｘ軸）方向及び鉛直（ｙ軸）方向にそれぞれ４８０画素及び２４０画素を有する画像である。
【００４６】
スクリーン３０は、ガラス等の基材の表面にアルミニウム等を蒸着させることにより形成される反射型のスクリーンであり、入射する光を所定の角度で反射して拡散する。スクリーン３０は、車両の鉛直方向においてレーザスキャナ１０の上方に配置されている（図１参照）。スクリーン３０は、結像面３１を有している。結像面３１は、スクリーン３０に蒸着されたアルミニウム等による金属薄膜によって形成されている。結像面３１には、レーザスキャナ１０からｙｚ面（図２及び図３参照）に沿ってレーザ光が投射されることにより、表示画像７１が結像される。結像面３１には、レーザ光を拡散するための微小な凹凸が形成されている。結像面３１は、表示画像７１を形成するレーザ光であって当該結像面３１に入射するレーザ光を、凹面鏡４０に向けて拡散する。
【００４７】
凹面鏡４０は、ガラス等の基材の表面にアルミニウム等を蒸着させることにより形成されている。凹面鏡４０は、スクリーン３０の結像面３１によって反射された光をウインドシールド９０の投影面９１に反射させる反射面４１を有している。反射面４１は、中央部が結像面３１及び投影面９１から遠ざかる方向に凹む凹面状であって、滑らかに形成されている。反射面４１は、結像面３１によって反射された表示画像７１を拡大しつつ反射させることにより、投影面９１に当該表示画像７１を投影する。
【００４８】
（特徴部分）
次に、本発明の第１実施形態によるヘッドアップディスプレイ装置１００の特徴部分について説明する。まず、レーザ投射部１４、１５、１６の構成から説明する。図３は、レーザ投射部１４の概略構成を示す構成図である。なお、図３には、レーザ投射部１４のみが示されているが、レーザ投射部１５、１６の構造はレーザ投射部１４と同じであるため、ここでの説明は省略する。
【００４９】
図３に示されるようにレーザ投射部１４は、第１レーザ光源１４ａ、第２レーザ光源１４ｂ、及び偏光ビームスプリッター１７等によって構成されている。第１レーザ光源１４ａ及び第２レーザ光源１４ｂは、コントローラ１１に接続されており、コントローラ１１からの制御信号によりレーザ光を投射する。第１レーザ光源１４ａ及び第２レーザ光源１４ｂから投射されるレーザ光は、所定の偏光方向の光であり、偏光ビームスプリッター１７に入射される。なお、第１レーザ光源１４ａ及び第２レーザ光源１４ｂは、偏光ビームスプリッター１７に対して、第１レーザ光源１４ａのレーザ光と第２レーザ光源１４ｂのレーザ光とがほぼ直交するような位置関係で配置されている。
【００５０】
偏光ビームスプリッター１７は、第１レーザ光源１４ａ及び第２レーザ光源１４ｂからのレーザ光が通る光路上に設置されている。偏光ビームスプリッター１７は、第１レーザ光源１４ａ及び第２レーザ光源１４ｂからのレーザ光が入射されることにより、入射された各レーザ光のＰ偏光及びＳ偏光を混合して投射する。これにより、偏光ビームスプリッター１７からは、偏光方向が直交する光が投射される。偏光ビームスプリッター１７より投射される光は、スクリーン３０に入射される。
【００５１】
偏光ビームスプリッター１７について詳細に説明する。偏光ビームスプリッター１７は、ガラス等からなり、立方体状に形成されている。偏光ビームスプリッター１７は、中央部にフィルター部１８を有している。フィルター部１８は、誘電体多層膜からなっており、入射する光をＰ偏光とＳ偏光とに分離する。このフィルター部１８は一方の面１８ａに入射した光のＳ偏光成分を反射し、Ｐ偏光成分を他方の面１８ｂに向けて透過する。また、フィルター部１８は、他方の面１８ｂに入射した光のＳ偏光成分を反射し、Ｐ偏光成分を一方の面１８ａに向けて透過する。
【００５２】
フィルター部１８の一方の面１８ａには、第１レーザ光源１４ａからのレーザ光が入射し、他方の面１８ｂには、第２レーザ光源１４ｂからのレーザ光が入射する。これにより、第１レーザ光源１４ａからのレーザ光は一方の面１８ａで反射して、Ｓ偏光が投射面１８ｃに向かって進行する。また、第２レーザ光源１４ｂからのレーザ光は他方の面１８ｂを透過して、Ｐ偏光が投射面１８ｃに向かって進行する。投射面１８ｃからは、Ｓ偏光とＰ偏光の光が組み合わされ、ほぼ同一の光軸上に沿って投射される。この投射面１８ｃから投射される光は、偏光方向が直交する光となって、スクリーン３０に入射される。なお、Ｓ偏光及びＰ偏光の光の強度（出力）は、ほぼ同じ大きさとなっている。これらＳ偏光及びＰ偏光は、偏光方向が直交しているため、互いに干渉しない光である。
【００５３】
偏光ビームスプリッター１７から投射された、偏光方向が直交する光は、スクリーン３０に入射し、拡散する。スクリーン３０の結像面３１で拡散した光（拡散光）は、偏光方向が維持されたまま凹面鏡４０の反射面４１に入射する。反射面４１で反射した拡散光は、偏光方向が維持されたままウインドシールド９０の投影面９１に入射する。その後、投影面９１に入射した拡散光の一部は、反射し、視認者のアイポイント６１に到達する。
【００５４】
このように、偏光方向が直交する光がスクリーン３０の結像面３１で拡散するとき、これらの光は元々互いに干渉し合わない光であるため、偏光方向が直交する光において各偏光方向の光に対応する結像面３１で拡散するそれぞれの拡散光によって、スペックルノイズが低減する。ただし、このスペックルノイズの低減効果は、それぞれの拡散光が、視認者の眼（アイポイント６１）に届いた場合に発揮されるものであって、いずれかの拡散光がアイポイント６１に届かない場合には発揮されない。また、アイポイント６１に到達する各拡散光の強度の差が大きいほど、スペックルノイズの低減効果は低下する。
【００５５】
本実施形態では、スクリーン３０での拡散光のアイポイント６１への到達を阻害する要素が存在する。具体的には、ウインドシールド９０の投影面９１がその阻害の要因となる可能性がある。以下、そのことについて詳細に説明する。
【００５６】
まず、ウインドシールド９０の投影面９１での拡散光の入射と、反射について詳細に説明する。図４は、ウインドシールド９０の投影面９１での拡散光の入射と、反射の様子を説明するための図である。図５は、投影面９１に入射する拡散光の偏光方向と、投影面９１で反射した拡散光の偏光方向の様子を説明するための図である。図６は、投影面９１でのＳ偏光及びＰ偏光の入射角と反射率との関係を示した図である。
【００５７】
図４に示されるように、凹面鏡４０にて反射した拡散光は、投影面９１の点Ａに所定の入射角で入射し、その後、アイポイント６１に向かって反射する。なお、投影面９１に入射する拡散光及び投影面９１で反射する拡散光は、一点鎖線で示される入射面９２上を進行する。なお、入射面９２は、投影面９１における拡散光の入射点（点Ａ）と、当該拡散光の光軸と、当該入射点における投影面９１の法線とを含む平面である。また、図４に示されるＰ偏光は、偏光方向が入射面９２に対して平行となっている光であり、Ｓ偏光は、偏光方向が入射面９２に対して垂直な光である。
【００５８】
投影面９１の点Ａに拡散光が入射すると、図６の入射角と反射率との関係を示したグラフに基づいて、投影面９１で反射される光の強度が決定される。例えば、入射角がブリュースター角（約５６度）となっている場合、Ｐ偏光は、ウインドシールド９０を透過し、Ｓ偏光のみが反射する。Ｓ偏光の強度は、図６に示される反射率に応じたものとなる。
【００５９】
本実施形態では、偏光方向が直交する光において各偏光方向の光に対応する拡散光の投影面９１に入射する際の偏光方向は、互いに直交しており、かつ入射面９２を進行する光のＰ偏光及びＳ偏光の偏光方向に対して、約４５度回転させた位置となっている（図５の一点鎖線の矢印を参照）。なお、図５で示す矢印の向きは、光の偏光方向の向きを示し、矢印の長さは、光の振幅を示している。光の振幅の二乗に比例する値が、その光の強度となる。したがって、矢印の長さが長いほどその光の強度が大きくなる。
【００６０】
拡散光が投影面９１にブリュースター角で入射すると、Ｐ偏光の反射率はほぼゼロであるので（図６を参照）、投影面９１で反射した拡散光のそれぞれの偏光方向は、投影面９１の入射面９２におけるＳ偏光の偏光方向にほぼ沿ったものとなる（図５の実線矢印を参照）。投影面９１で反射した拡散光のそれぞれは、アイポイント６１に到達することとなる。投影面９１で反射した拡散光のそれぞれの強度は、図６に示されるＳ偏光の反射率に応じたものとなる。
【００６１】
このように、偏光方向が直交する光において各偏光方向の光に対応する拡散光は、投影面９１で反射してもなお、当該拡散光のそれぞれがアイポイント６１に到達するので、スペックルノイズの低減効果の低下を抑制することができる。また、この実施形態では、図５に示されるように、投影面９１で反射した拡散光の強度がほぼ同じとなり強度差がほとんどないため、強度差が発生することによるスペックルノイズの低減効果の低下を抑制することができる。
【００６２】
また、本実施形態では、図５に示すように、偏光方向が直交する光において各偏光方向の光に対応する拡散光の偏光方向は、反射率のＳ偏光に比べ低いＰ偏光の偏光方向とは異なるものとなっているため、投影面９１で反射した拡散光の強度差が大きくなるのを抑制することができる。例えば、本実施形態のように、拡散光の入射角がブリュースター角であって、拡散光の偏光方向のいずれかがＰ偏光の偏光方向と一致している場合などは、Ｐ偏光の偏光方向と一致した方の拡散光は、アイポイント６１にほとんど届かなくなる。このため、アイポイント６１に届く拡散光の強度差が非常に大きくなり、スペックルノイズの低減効果が著しく低下する。投影面９１に入射する際の拡散光の偏光方向をＰ偏光の偏光方向と異ならせることによれば、このように拡散光の強度差が大きくなりスペックルノイズの低減効果が低下するのを抑制することができる。
【００６３】
投影面９１で反射した拡散光の強度は、投影面９１に入射する拡散光の偏光方向によって変化するのは、図６のグラフから分かる。また、図６のグラフに示すように、Ｓ偏光の反射率は、Ｐ偏光の反射率よりも高い。したがって、投影面９１で反射した拡散光の強度は、当該拡散光の偏光方向がＳ偏光の偏光方向に一致したときに最大となる。仮に、投影面９１に入射する拡散光の一方の拡散光の偏光方向がＳ偏光の偏光方向と一致していると、他の拡散光の偏光方向はＳ偏光の偏光方向と異なる。その結果、投影面９１で反射した拡散光の強度は必ず異なってしまい、拡散光の強度に差が発生することとなる。
【００６４】
本実施形態では、投影面９１に入射する際の拡散光の偏光方向はいずれも、Ｐ偏光の偏光方向だけでなく、Ｓ偏光の偏光方向とも異なっている。このため、投影面９１で反射した拡散光の強度が必ず異なってしまうということを抑制することができる。その結果、投影面９１で反射した拡散光の強度差によるスペックルノイズの低減効果の低下を抑制することができる。
【００６５】
また、本実施形態では、拡散光において投影面９１に入射する際の偏光方向が、Ｐ偏光の偏光方向に対して対称となっている。このように拡散光の偏光方向が設定されることによれば、それぞれの拡散光のＰ偏光成分及びＳ偏光成分の大きさがほぼ同じとなる。よって、投影面９１で反射した拡散光の強度はほぼ等しくなるので、スペックルノイズの低減効果の低下が抑制される。
【００６６】
ここで、スクリーン３０に入射させる偏光方向を直交させることにより、偏光方向を最も離れた位置関係とすることができるので、スペックルノイズの低減効果が最も高くすることができる。本実施形態では、偏光ビームスプリッター１７から投射される２つの偏光方向を、直交させ、その光をスクリーン３０の結像面３１に入射させるようにしている。このことによれば、スペックルノイズの低減効果を最大のものとすることができる。
【００６７】
また、本実施形態では、偏光方向が直交する光は、偏光ビームスプリッター１７のフィルター部１８の光の分離機能により生成される。このフィルター部１８は、第１レーザ光源１４ａのレーザ光からＳ偏光を分離し、第２レーザ光源１４ｂのレーザ光からＰ偏光を分離する。そして、偏光ビームスプリッター１７は、フィルター部１８で分離したこれらＳ偏光及びＰ偏光を組み合わせて投射面１８ｃより投射している。このようにして偏光方向が直交する光が生成される。また、偏光ビームスプリッター１７に入射する第１レーザ光源１４ａ及び第２レーザ光源１４ｂのレーザ光の偏光方向がどのような方向を向いていても、投射面１８ｃから投射される光の偏光方向は直交する。
【００６８】
なお、本実施形態において、第１レーザ光源１４ａ及び第２レーザ光源１４ｂが特許請求の範囲に記載の「光源手段」に相当する。さらに、第１レーザ光源１４ａが特許請求の範囲に記載の「第１光源」に相当し、第２レーザ光源１４ｂが特許請求の範囲に記載の「第２光源」に相当する。そして、スクリーン３０が特許請求の範囲に記載の「スクリーン手段」に相当する。また、偏光ビームスプリッター１７が特許請求の範囲に記載の「偏光手段」に相当し、フィルター部１８が特許請求の範囲に記載の「フィルター部」に相当する。
【００６９】
（第２実施形態）
第１実施形態では、偏光手段として偏光ビームスプリッター１７を使用したが、液晶セル１１７を使用しても良い。以下、図７に基づいて、具体的に説明する。図７は、本発明の第２実施形態によるヘッドアップディスプレイ装置のレーザ投射部の概略構成を示す構成図である。
【００７０】
第２実施形態による偏光手段は、レーザ光源１１４ａ、液晶セル１１７及びコントローラ１１等からなる。レーザ光源１１４ａは、所定の偏光方向の光を液晶セル１１７に向けて投射する。液晶セル１１７は、向かい合う２枚のガラス基板の間に液晶分子を封入したものであり、所謂ＴＮ（Twisted Nematic；ツイステッド・ネマチック）モードの液晶セルである。ＴＮモードの液晶セル１１７では、両ガラス基板間への通電をせず、しきい電圧以下となる場合、液晶分子の配向方向が両ガラス基板間で９０度の角度でねじれた状態となり、両ガラス基板間に通電し、しきい電圧以上となる場合、液晶分子の配向方向のねじれが消失する状態となる。液晶セル１１７への通電、非通電の制御は、コントローラ１１によって行われる。
【００７１】
したがって、コントローラ１１からの指令信号により、液晶セル１１７が通電されると、ガラス基板に入射するレーザ光源１１４ａからのレーザ光は、そのままの偏光方向で液晶セル１１７を透過する。また、コントローラ１１からの指令信号により、液晶セル１１７が非通電となると、ガラス基板に入射するレーザ光源１１４ａからのレーザ光は、偏光方向が９０度の角度回転して液晶セル１１７を透過する。これによれば、液晶セル１１７の通電、非通電を繰り返し行うことにより、液晶セル１１７からは、偏光方向が直交する光を投射することができる。即ち、この液晶セル１１７を用いることによれば、一つのレーザ光源１１４ａによって偏光方向が直交する光を投射することができる。
【００７２】
なお、本実施形態では、コントローラ１１による液晶セル１１７の通電、非通電を所定時間毎に行っている。人間は、ある時間よりも短い時間で変化する視覚的刺激を認めることができない。この所定時間は、人間が視覚的刺激を認めることができる時間よりも短い時間に設定されている。例えば、所定時間は、１／２０秒以下に設定されている。所定時間をこのような考えのもとに設定することにより、時分割的に光の偏光方向を異ならせても、視認者は同一光軸上に偏光方向が直交する光が投射されたと認識する。
【００７３】
（その他の実施形態）
以上、本発明による第１、第２実施形態について説明したが、本発明は、上記先の実施形態に限定して解釈されるものではなく、本発明の要旨を逸脱しない範囲内において種々の実施形態及び組み合わせに適用することができる。
【００７４】
先の二つの実施形態では、偏光ビームスプリッター１７から投射される光は、偏光方向が直交する光であるが、偏光方向は直交でなくても良く、偏光方向が異なっていれば良い。
【００７５】
第１実施形態では、偏光手段として偏光ビームスプリッター１７を使用して、偏光方向を２つ有する光を生成していたが、偏光手段として入射したレーザ光の偏光方向をそのまま投射面に投射する無偏光ビームスプリッターを使用しても良い。この場合、無偏光ビームスプリッターへ入射する第１レーザ光源及び第２レーザ光源からのレーザ光の偏光方向を適宜異ならせる必要がある。
【００７６】
先の二つの実施形態では、レーザスキャナ１０から投射されるレーザ光の偏光方向は、スクリーン３０及び凹面鏡４０を介しても変化せず、そのままの状態で投影面９１に入射するようになっているが、レーザスキャナから投影面９１までの光路途中に光の偏光方向を偏光する光学素子を設置しても良い。このようにすれば、偏光方向を設定すべく、体格の比較的大きいレーザスキャナ等の設置角度等を調整することなく、偏光方向を自由に設定することができる。
【符号の説明】
【００７７】
１０  レーザスキャナ、１１  コントローラ、１３  光源部、１４、１５、１６  レーザ投射部（光源手段）、１４ａ  第１レーザ光源（光源手段）、１４ｂ  第２レーザ光源（光源手段）、１７  偏光ビームスプリッター（偏光手段）、１８  フィルター部（フィルター部）、１８ａ  一方の面、１８ｂ  他方の面、１８ｃ  投射面、２０  光学部、２１  コリメートレンズ、２２、２３、２４  ダイクロイックフィルタ、２５  集光レンズ、２６  微小電気機械システム（ＭＥＭＳ）、２７  水平スキャナ、２８  鉛直スキャナ、３０  スクリーン（スクリーン手段）、３１  結像面、４０  凹面鏡、４１  反射面、６０  アイボックス、６１  アイポイント、７０  虚像、７１  表示画像、９０  ウインドシールド、９１  投影面、９２  入射面、１００  ヘッドアップディスプレイ装置
【図１】
0005423742.tif 000002
【図２】
0005423742.tif 000003
【図３】
0005423742.tif 000004
【図４】
0005423742.tif 000005
【図５】
0005423742.tif 000006
【図６】
0005423742.tif 000007
【図７】
0005423742.tif 000008